(57)【要約】【課題】端末装置から受信された図形を表示する場合に、併せて属性を受信することで、当該属性に基づいて図形の表示態様を適切に表示させることができる表示システム等を提供する。【解決手段】端末装置において、表示画面の一部の領域を特定し、特定された領域に含まれている図形及び／又は文字である１又は複数のオブジェクトを取得する。そして、取得されたオブジェクトについて、当該オブジェクトを表示する場合に用いられる属性を判定し、オブジェクトと、オブジェクトの属性とを表示装置に送信する。表示装置は、受信されたオブジェクトの表示位置を決定し、表示位置に、受信されたオブジェクトを、受信されたオブジェクトの属性に基づいた表示態様を決定して表示する。【選択図】図１
2019079314.tif 000002
【特許請求の範囲】
【請求項１】
端末装置と、当該端末装置と接続される表示装置とを備えた表示システムであって、
前記端末装置は、
表示画面の一部の領域を特定する領域特定手段と、
前記特定された領域に含まれている図形及び／又は文字である１又は複数のオブジェクトを取得する取得手段と、
前記取得されたオブジェクトについて、当該オブジェクトを表示する場合に用いられる属性を判定する属性判定手段と、
前記オブジェクトと、前記オブジェクトの属性とを表示装置に送信する送信手段と、
を備え、
前記表示装置は、
前記オブジェクトと、前記オブジェクトの属性とを前記端末装置から受信する受信手段と、
前記受信されたオブジェクトの表示位置を決定し、当該表示位置に、前記受信されたオブジェクトを、前記受信されたオブジェクトの属性に基づいた表示態様を決定し、当該表示態様でオブジェクトを表示する表示手段と、
を備えることを特徴とする表示システム。
【請求項２】
前記オブジェクトの属性は、少なくとも領域の形状の情報、囲領域を描画するときに右回り或いは左回りでストロークを描画した情報、ストローク描画時の指又はペンの本数の情報、他の操作とともに囲領域が入力されたか否かの情報の何れか１つの情報から決定されることを特徴とする請求項１に記載の表示システム。
【請求項３】
前記受信手段は、前記端末装置から環境情報を更に受信し、
前記表示手段は、前記オブジェクトの属性及び環境情報に基づいて表示態様を決定することを特徴とする請求項１に記載の表示システム。
【請求項４】
前記環境情報は、少なくとも利用者の情報、端末装置の識別情報の何れか１つの情報であることを特徴とする請求項３に記載の表示システム。
【請求項５】
前記表示手段は、前記オブジェクトと併せて、前記環境情報を表示するが可能であることを特徴とする請求項３又は４に記載の表示システム。
【請求項６】
前記表示手段は、前記環境情報に基づいて、前記オブジェクトの表示／非表示を切り替えることを特徴とする請求項３又は４に記載の表示システム。
【請求項７】
端末装置に接続可能な表示装置であって、
前記端末装置から、画像データを受信する受信手段と、
前記画像データから、図形及び／又は文字である１又は複数のオブジェクトを取得する取得手段と、
前記取得されたオブジェクトについて、当該オブジェクトを表示する場合に用いられる属性を判定する属性判定手段と、
前記取得されたオブジェクトの表示位置を決定し、当該表示位置に、当該オブジェクトを、前記判定されたオブジェクトの属性に基づいた表示態様を決定し、当該表示態様でオブジェクトを表示する表示手段と、
を備えることを特徴とする表示装置。
【請求項８】
端末装置に接続可能な表示装置であって、
オブジェクトと、オブジェクトの属性とを前記端末装置から受信する受信手段と、
前記オブジェクトをオブジェクトの属性に基づいて付箋データに変換する変換手段と、
前記付箋データの表示位置を決定し、当該表示位置に、前記付箋データを属性に基づいた表示態様にて表示する表示手段と、
を備えることを特徴とする表示装置。
【請求項９】
オブジェクトの属性に基づいた表示態様でオブジェクトを表示する表示装置に接続された端末装置であって、
表示画面の一部の領域を特定する領域特定手段と、
前記特定された領域に含まれている図形及び／又は文字である１又は複数のオブジェクトを取得する取得手段と、
前記取得されたオブジェクトについて、当該オブジェクトを表示する場合に用いられる属性を判定する属性判定手段と、
前記オブジェクトと、前記オブジェクトの属性とを前記表示装置に送信する送信手段と、
を備えることを特徴とする端末装置。
【請求項１０】
端末装置に接続可能なコンピュータに、
前記端末装置から、画像データを受信する受信機能と、
前記画像データから、図形及び／又は文字である１又は複数のオブジェクトを取得する取得機能と、
前記取得されたオブジェクトについて、当該オブジェクトを表示する場合に用いられる属性を判定する属性判定機能と、
前記取得されたオブジェクトの表示位置を決定し、当該表示位置に、当該オブジェクトを、前記判定されたオブジェクトの属性に基づいた表示態様を決定し、当該表示態様でオブジェクトを表示する表示機能と、
を実現させることを特徴とするプログラム。
【請求項１１】
オブジェクトの属性に基づいた表示態様でオブジェクトを表示する表示装置に接続されたコンピュータに、
表示画面の一部の領域を特定する領域特定機能と、
前記特定された領域に含まれている図形及び／又は文字である１又は複数のオブジェクトを取得する取得機能と、
前記取得されたオブジェクトについて、当該オブジェクトを表示する場合に用いられる属性を判定する属性判定機能と、
前記オブジェクトと、前記オブジェクトの属性とを前記表示装置に送信する送信機能と、
を実現させることを特徴とするプログラム。
【発明の詳細な説明】
【技術分野】
【０００１】
本発明は端末装置と、当該端末装置と接続される表示装置とを備えた表示システム等に関する。
【背景技術】
【０００２】
近年、大型のディスプレイを設けた表示装置が普及しつつあることから、当該表示装置を電子黒板のように利用して、会議や授業が行われる場面が増えつつある。一方で、個人が所持する中小型の携帯端末も普及が進んでいることから、これを会議室や教室に設置された共用の大型の表示装置と連携させることで、利用者間での情報共有や意見交換を円滑にし、会議や授業の利便性を向上するための試みが行われている。
【０００３】
このとき、各利用者は自分が利用しているタブレット状の端末装置から、上述した表示装置にメモを送信する発明が開示されている（例えば、特許文献１参照）。
【先行技術文献】
【特許文献】
【０００４】
【特許文献１】特開２０１０−２０５１３７号公報
【発明の概要】
【発明が解決しようとする課題】
【０００５】
上述したように、電子黒板等で利用される表示装置は大型化していることから、一又は複数の利用者側の端末装置から、メモや情報を受信して一つの表示画面に表示させたいというニーズがある。しかし、従来は、送信するメモを表示するに過ぎず、どのように表示するかといったことは考慮されていなかった。
【０００６】
更に上記特許文献１では、貼り付けたメモの属性（例：色、大きさ、形状、重要度、所有者）を指定することはできず、このため、複数のメモが表示装置に貼り付けられた場合には、同様の形状のメモが複数表示されて見づらい・重要なメモとそうでないメモが混在して見づらい・誰が書いたメモか区別できない、という課題があり、円滑な意見交換や情報共有を進める上で障害があった。
【０００７】
また、表示装置が大型化していることから、例えばテーブル型の表示装置として利用され、その場で入力するといった利用方法も提案されている。このような場合に、手書きされたメモに属性を付する場合、メニューやアイコンからその都度選択する必要があり、使い勝手が悪いといった問題が生じていた。
【０００８】
上述した課題を解決するために、本発明は、端末装置から受信された図形を表示する場合に、併せて属性を受信することで、当該属性に基づいて図形の表示態様を適切に表示させることができる表示システム等を提供することである。
【課題を解決するための手段】
【０００９】
上述した課題を解決するために、本発明の表示システムは、
端末装置と、当該端末装置と接続される表示装置とを備えた表示システムであって、
前記端末装置は、
表示画面の一部の領域を特定する領域特定手段と、
前記特定された領域に含まれている図形及び／又は文字である１又は複数のオブジェクトを取得する取得手段と、
前記取得されたオブジェクトについて、当該オブジェクトを表示する場合に用いられる属性を判定する属性判定手段と、
前記オブジェクトと、前記オブジェクトの属性とを表示装置に送信する送信手段と、
を備え、
前記表示装置は、
前記オブジェクトと、前記オブジェクトの属性とを前記端末装置から受信する受信手段と、
前記受信されたオブジェクトの表示位置を決定し、当該表示位置に、前記受信されたオブジェクトを、前記受信されたオブジェクトの属性に基づいた表示態様を決定し、当該表示態様でオブジェクトを表示する表示手段と、
を備えることを特徴とする。
【００１０】
本発明の表示装置は、
端末装置に接続可能な表示装置であって、
前記端末装置から、画像データを受信する受信手段と、
前記画像データから、図形及び／又は文字である１又は複数のオブジェクトを取得する取得手段と、
前記取得されたオブジェクトについて、当該オブジェクトを表示する場合に用いられる属性を判定する属性判定手段と、
前記取得されたオブジェクトの表示位置を決定し、当該表示位置に、当該オブジェクトを、前記判定されたオブジェクトの属性に基づいた表示態様を決定し、当該表示態様でオブジェクトを表示する表示手段と、
を備えることを特徴とする。
【００１１】
本発明の表示装置は、
端末装置に接続可能な表示装置であって、
オブジェクトと、オブジェクトの属性とを前記端末装置から受信する受信手段と、
前記オブジェクトをオブジェクトの属性に基づいて付箋データに変換する変換手段と、
前記付箋データの表示位置を決定し、当該表示位置に、前記付箋データを属性に基づいた表示態様にて表示する表示手段と、
を備えることを特徴とする。
【００１２】
本発明の端末装置は、
オブジェクトの属性に基づいた表示態様でオブジェクトを表示する表示装置に接続された端末装置であって、
表示画面の一部の領域を特定する領域特定手段と、
前記特定された領域に含まれている図形及び／又は文字である１又は複数のオブジェクトを取得する取得手段と、
前記取得されたオブジェクトについて、当該オブジェクトを表示する場合に用いられる属性を判定する属性判定手段と、
前記オブジェクトと、前記オブジェクトの属性とを前記表示装置に送信する送信手段と、
を備えることを特徴とする。
【００１３】
本発明のプログラムは、
端末装置に接続可能なコンピュータに、
前記端末装置から、画像データを受信する受信機能と、
前記画像データから、図形及び／又は文字である１又は複数のオブジェクトを取得する取得機能と、
前記取得されたオブジェクトについて、当該オブジェクトを表示する場合に用いられる属性を判定する属性判定機能と、
前記取得されたオブジェクトの表示位置を決定し、当該表示位置に、当該オブジェクトを、前記判定されたオブジェクトの属性に基づいた表示態様を決定し、当該表示態様でオブジェクトを表示する表示機能と、
を実現させることを特徴とする。
【００１４】
本発明のプログラムは、
オブジェクトの属性に基づいた表示態様でオブジェクトを表示する表示装置に接続されたコンピュータに、
表示画面の一部の領域を特定する領域特定機能と、
前記特定された領域に含まれている図形及び／又は文字である１又は複数のオブジェクトを取得する取得機能と、
前記取得されたオブジェクトについて、当該オブジェクトを表示する場合に用いられる属性を判定する属性判定機能と、
前記オブジェクトと、前記オブジェクトの属性とを前記表示装置に送信する送信機能と、
を実現させることを特徴とする。
【発明の効果】
【００１５】
本発明によれば、表示装置は、端末装置から送信されたオブジェクトと、オブジェクトの属性を受信し、受信されたオブジェクトを、受信されたオブジェクトの属性に基づいて表示態様を決定して表示することができる。
【００１６】
また、本発明の表示装置は、端末装置からオブジェクトを受信し、そのオブジェクトの属性を表示装置で判定した上で、表示態様を決定して表示するといったこともできる。
【図面の簡単な説明】
【００１７】
【図１】第１実施形態におけるシステム全体を説明するための図である。
【図２】第１実施形態における端末装置の機能構成を説明するための図である。
【図３】第１実施形態における表示装置の機能構成を説明するための図である。
【図４】第１実施形態における処理の概要を説明するための図である。
【図５】第１実施形態における端末装置と表示装置との処理の流れを説明するシーケンス図である。
【図６】第１実施形態における動作例を説明するための図である。
【図７】第２実施形態における端末装置の記憶部の構成を説明するための図である。
【図８】各実施形態における付箋データ属性判定テーブルのデータの構造の一例である。
【図９】第２実施形態における端末装置と表示装置との処理の流れを説明するシーケンス図である。
【図１０】第２実施形態における動作例を説明するための図である。
【図１１】第４実施形態における動作例を説明するための図である。
【図１２】第５実施形態における端末装置と表示装置との処理の流れを説明するシーケンス図である。
【図１３】第６実施形態における端末装置と表示装置との処理の流れを説明するシーケンス図である。
【図１４】第７実施形態におけるシステム全体を説明するための図である。
【図１５】第８実施形態における動作例を説明するための図である。
【図１６】第９実施形態における動作例を説明するための図である。
【図１７】第１０実施形態における端末装置の処理の流れを説明する為のフロー図である。
【発明を実施するための形態】
【００１８】
以下、本発明の画像表示装置を用いた画像表示システム１について説明する。なお、各実施形態は本発明を説明する都合上記載したものであり、本発明の範囲が以下の実施形態に限定されるものではない。
【００１９】
［１．第１実施形態］
［１．１  システム構成］
まず、第１実施形態について説明する。第１実施形態は、画像表示装置として、タブレット等の可搬型の表示装置である端末装置１０と、大型のディスプレイ等の据え置き型の表示装置２０とを含んで構成されている。
【００２０】
端末装置１０と、表示装置２０とは、接続可能に構成されている。例えば、本実施形態では、ＬＡＮ（無線ＬＡＮ、有線ＬＡＮ）を介して通信可能に接続されている。接続方法としては、他にもＢｌｕｅｔｏｏｔｈ（登録商標）や、ＺｉｇＢｅｅ（登録商標）といった近距離無線通信等で接続されても良い。すなわち、端末装置１０と、表示装置２０とが通信可能な接続方式であれば方法を問わないこととする。
【００２１】
また、端末装置１０と、表示装置２０とは、端末装置１０で選択・認識されたオブジェクトが表示装置２０に送信されて表示される。ここで、本明細書にいうオブジェクトとは、１又は複数の表示画面に表示出来る単位であり、例えば、図形、文字（文字列）、アイコン、写真等の何れであってもよい。また、図形の中に文字が入力された付箋データ、付箋画像データ、メモデータについても、オブジェクトの１つとして扱うことが可能である。
【００２２】
［１．２  機能構成］
続いて、機能構成について図に基づいて説明する。
【００２３】
［１．２．１  端末装置］
まず、端末装置１０の機能構成について、図２に基づいて説明する。端末装置１０は、制御部１００と、表示部１１０と、タッチ検出部１２０と、画像処理部１３０と、通信部１４０と、記憶部１５０とを備えて構成される。
【００２４】
制御部１００は、端末装置１０の全体を制御するための機能部である。制御部１００は、記憶部１５０に記憶されている各種プログラムを読み出して実行することにより各種機能を実現しており、例えばＣＰＵ（Central Processing Unit）等により構成されている。
【００２５】
表示部１１０は、各種コンテンツ等を表示する機能部である。例えば、ＬＣＤ（liquid crystal display：液晶ディスプレイ）や、有機ＥＬディスプレイ等により構成されている。また、表示部１１０には、表示領域全体に全体画像が表示されており、当該全体画像に図形が表示されている。
【００２６】
タッチ検出部１２０は、利用者からのタッチ操作を検出することにより、操作入力を実現するための機能部である。例えば、表示部１１０と一体に構成されてタッチパネル等により実現される。タッチ操作を検出方法としては、静電容量方式、電磁誘導方式、赤外線方式といった何れかの方法を用いて検出できれば良い。また、検出箇所としても、１点であっても良いし、複数点検出可能であっても良い。
【００２７】
また、タッチ検出部１２０により、オブジェクトとして、例えば図形が入力されることとなる。具体的には、利用者から入力されたタッチされた座標を検出し、検出された座標からストローク情報が記憶される。そして、ストローク情報に基づいて図形を認識して、図形データ１５２に記憶される。また、当該図形は、そのまま全体画像に表示されることとなる。
【００２８】
画像処理部１３０は、画像処理を実現するための機能部である。画像処理部１３０としては、例えば、オブジェクトとして入力された図形（手書き文字）から文字認識を行ってテキスト文字を出力したり、表示されている全体画像の中から囲領域の画像を切り出したりといった、各種画像処理が実現される。また、ストローク情報から図形に変換したり、ベクトルデータをラスタデータに変換したりする処理を行う。
【００２９】
この画像処理部１３０は、必要に応じて処理毎にプログラムとして記憶部１５０に記憶され、必要に応じて読み出されて実行されることにより、実現されてもよい。
【００３０】
通信部１４０は、端末装置１０が通信を行う為の機能部である。例えば、ＩＥＥＥ８０２．１１ａ／ｂ／ｇ／ｎといった無線ＬＡＮを利用したり、Ｂｌｕｅｔｏｏｔｈ等の近距離無線通信を利用したりする。なお、ＬＴＥ通信等により一般的な通信を行っても良い。
【００３１】
記憶部１５０は、端末装置１０の動作に必要な各種プログラムや、各種データが記憶されている機能部である。記憶部１５０は、例えば、半導体メモリや、ＨＤＤ（Hard Disk Drive）等により構成されている。
【００３２】
また、記憶部１５０には、各種プログラムの他に、図形データ１５２と、付箋画像データ１５４とが記憶されている。
【００３３】
図形データ１５２は、手描き入力される（例えば、ストローク描画される）ことにより記憶されたストローク情報に基づく手書き文字、手書き図形や、他の入力装置（例えば、スキャナ等）から入力された画像、他の装置から受信されて記憶される画像が記憶されている。
【００３４】
例えば、利用者により手書き入力されたストローク情報が集まることにより、一つのグループ化された図形として記憶される。また、スキャナ、デジタルカメラや、画像ファイル等からＪＰＥＧデータや、ＢＭＰデータといった画像ファイルが記憶される。
【００３５】
ここで、本明細書における図形とは、文字、記号を含む概念である。ここで文字（記号）は、利用者がタッチペンや手、マウス等で書いた文字である手書き文字と、ＡＳＣＩＩコードやＪＩＳコード、Ｕｎｉｃｏｄｅ等で示されるテキスト文字とが含まれる。
【００３６】
したがって、図形データ１５２には、キーボード等の入力手段で入力されたテキスト文字（列）や、受信されたテキスト文字（列）等が記憶される。この場合、例えばテキスト文字（列）と、表示領域の位置する座標、テキスト領域としての座標も併せて記憶されても良い。
【００３７】
また、図形は、複数の文字である文字列からなる場合もある。すなわち、手書き入力された場合には、第１の時間間隔で入力されたストロークが一つの手書き文字として認識される。また、この手書き文字が連続して入力されることにより、手書き文字列として認識される。これらが、図形として図形データ１５２に記憶される。
【００３８】
また、各図形は、表示部１１０の表示領域における座標を記憶していてもよい。そして、各図形が座標にしたがって表示されることにより、全体画像として表示部１１０に表示されることとなる。
【００３９】
付箋画像データ１５４は、利用者により図形から一部切り出して生成されるデータである。切り出された一又は複数の図形を付箋画像データと記憶されていても良いし、全体画像から切り抜いた画像を付箋画像データと記憶しても良い。また、切り出した図形がベクトルデータや、ストローク情報に基づく図形の場合には、一度ラスタデータに変換して切り抜いても良い。
【００４０】
［１．２．２  表示装置］
つづいて、表示装置２０の機能構成について図３に基づいて説明する。図３に示すように、表示装置２０は、制御部２００と、表示部２１０と、操作入力部２２０と、通信部２４０と、記憶部２５０とを備えて構成されている。
【００４１】
制御部２００は、表示装置２０の全体を制御するための機能部である。制御部２００は、記憶部２５０に記憶されている各種プログラムを読み出して実行することにより各種機能を実現しており、例えばＣＰＵ（Central Processing Unit）等により構成されている。
【００４２】
表示部２１０は、各種コンテンツ等を表示する機能部である。例えば、ＬＣＤ（liquid crystal display：液晶ディスプレイ）や、有機ＥＬディスプレイ等により構成されている。また表示部２１０には全体画像が表示されており、その中に図形が表示される。
【００４３】
操作入力部２２０は、利用者からの操作入力を実現するための機能部である。例えば、外付けのキーボードやマウス、表示部２１０と一体に構成されてタッチパネル等により実現される。タッチ操作を検出方法としては、静電容量方式、電磁誘導方式、赤外線方式といった何れかの方法を用いて検出できれば良い。また、検出箇所としても、１点であっても良いし、複数点検出可能であっても良い。
【００４４】
通信部２４０は、表示装置２０が通信を行う為の機能部である。例えば、ＩＥＥＥ８０２．１１ａ／ｂ／ｇ／ｎといった無線ＬＡＮを利用したり、Ｂｌｕｅｔｏｏｔｈ等の近距離無線通信を利用したりする。
【００４５】
記憶部２５０は、表示装置２０の動作に必要な各種プログラムや、各種データが記憶されている機能部である。記憶部２５０は、例えば、半導体メモリや、ＨＤＤ（Hard Disk Drive）等により構成されている。
【００４６】
また、記憶部２５０には、各種プログラムの他に、図形データ２５２と、付箋画像データ２５４と、付箋データ２５６とが記憶されている。
【００４７】
図形データ２５２は、表示装置２０において入力された図形と、端末装置１０から受信された図形とが記憶される。記憶された図形データが、表示部２１０の表示領域に表示されることとなる。図形データ２５２は、図形データ１５２と同一の種類のデータで記憶されるため、詳細な説明は省略する。
【００４８】
また、端末装置１０から受信されるのが付箋画像データ２５４である。付箋画像データ２５４に基づいて、付箋データ２５６が生成されて記憶される。
【００４９】
ここで、本実施形態で説明する付箋データとは、図形やテキスト文字列を一つのまとまりとして管理可能にするデータである。付箋データは、単に表示させるだけでなく、色を変えたり、表示領域内において移動して表示させたりするといったことも可能である。
【００５０】
付箋データとして含まれるものは、付箋画像データに含まれる図形であっても良いし、入力されたテキスト文字列、手書き文字から変換されたテキスト文字列であっても良い。また、付箋データは、表示／非表示を切り替えられたり、貼り付け、削除といったことが自由に行えることとしてもよい。
【００５１】
また、付箋データは、表示されている他のコンテンツ（例えば、図形や画像）に重畳的に表示されても良いし、単独で表示されても良い。また、本明細書においては、付箋データとして表しているが、例えばメモデータや、備忘データといった他の表し方をしてもよい。
【００５２】
このように、表示装置２０は、表示部２１０の表示画面に、図形、文字、付箋データ、コンテンツといったオブジェクトを自由に表示することが可能である。
【００５３】
［１．３  処理の流れ］
続いて本実施形態における処理の流れについて図に基づいて説明する。
【００５４】
［１．３．１  処理の概要］
まず、本実施形態における付箋データの生成について説明する。ここでは、端末装置１０において実行される場合について説明するが、表示装置２０において実行されてもよい。また、後述するように、処理によって端末装置１０と、表示装置２０とで切り分けて実行されても良い。
【００５５】
まず、図４（ａ）は、オブジェクトの１つとして、手書き文字列Ｂ１０「締切り」の図形が表示されている。手書き文字列Ｂ１０は、表示部１１０の表示領域上に表示されている。
【００５６】
利用者により、この手書き文字列Ｂ１０を囲むように選択（特定）される。このとき選択されることにより、特定された領域を囲領域Ｒ１０とする。すなわち、このストロークは、手書き文字列Ｂ１０を囲むように形成されているため、付箋選択入力であることが認識される。なお、付箋選択入力の方法としては、囲領域の選択方法であってもよいが、例えば付箋選択入力モードを選択したり、他の操作方法（例えば、ペンの本数、２本指、３本指で囲む等）で選択されたりしてもよい。
【００５７】
付箋選択入力であることが認識されると、当該手書き文字列Ｂ１０を含むように囲領域の座標が取得される。この囲領域の座標は、図４（ｂ）の領域Ｒ１２の座標である。この領域Ｒ１２に含まれている手書き文字列Ｂ１０が付箋画像データＴ１０として認識される（図４（ｃ））。
【００５８】
付箋画像データＴ１０と認識されたデータは、他の装置に送信可能である。また、付箋画像データＴ１０から、付箋データＨ１０に変換されたのが図４（ｄ）である。本図においては、付箋データＨ１０と変換されたことにより、手書き文字列「締切り」は、テキスト文字列「締切り」に変換されている。テキスト文字列に変換されることにより、テキスト文字の追加、編集といったことが可能となる。また、付箋データには、色情報、形状、所用者、大きさといった付箋の属性（付箋に付随する情報）が記憶されている。
【００５９】
なお、本実施形態では、オブジェクトとして手書き文字列が選択されている場合に文字にテキスト文字列として変換されることを説明しているが、そのまま図形が含まれた付箋データとして扱ってもよい。また、選択されたオブジェクトがテキスト文字列の場合は、そのままテキスト文字列が選択されてもよいし、逆に図形化されてもよい。
【００６０】
また、本実施形態において文字列という場合には１文字以上の文字からなる文字・文字列をいう。ここでいう文字には、数字、英字、記号、ひらがな、カタカナ、漢字といった文字を含み、他の外国語で使用される文字も含む。また、場合によっては絵文字が含まれてもよい。
【００６１】
また、囲領域で選択されるオブジェクトは複数であっても良い。この場合、オブジェクト毎（例えば、図形毎）に付箋データを表示することとしても良いし、まとめて一つの付箋データとして表示することとしても良い。また、異なる種類のオブジェクト（例えば、テキスト文字列と画像）が選択された場合は、オブジェクト毎に付箋データを表示したり、付箋選択入力をキャンセルしたりしても良い。
【００６２】
［１．３．２  シーケンス図］
続いて第１実施形態について、図５に基づいて説明する。図５は、付箋データに基となる付箋画像データを送信する送信側の処理と、受信する受信側の処理を表したシーケンス図である。本実施形態では、送信側として端末装置１０を、受信側として表示装置２０を例に説明する。また、付箋データとして選択されるオブジェクトを手書き文字列の場合について説明する。
【００６３】
まず、端末装置１０で手書き入力が検知された場合（ステップＳ１０２；Ｙｅｓ）、入力座標を取得する（ステップＳ１０４）。そして取得された座標をストローク情報として記憶する（ステップＳ１０６）。
【００６４】
ここで、囲領域を形成していない場合は（ステップＳ１０８；Ｎｏ）、この記憶されたストローク情報は、図形として図形データ１５２に記憶される。このストローク情報から、例えば手書き文字（列）として記憶されたり、線分等として記憶されたりする方法については、何れかの従来技術を利用すれば良い。
【００６５】
ここで、ストロークが囲領域を形成している場合には（ステップＳ１０８；Ｙｅｓ）、付箋選択入力と判定し、囲領域の座標を取得する（ステップＳ１１０）。
【００６６】
ここで、囲領域の座標としては、例えば囲領域を含む座標を抽出すれば良い。また、ここで、囲領域の位置が所定の位置か否かを判定しても良い（ステップＳ１１２）。具体的には、例えば入力可能領域のうち、付箋選択入力として認識可能な位置を設定しておき、当該位置で囲領域が形成された場合には付箋選択入力として認識しても良い。
【００６７】
また、表示領域全体において処理を実行する場合には、ステップＳ１１２の判定は行われなくても良い。すなわち、ステップＳ１１０の次にステップＳ１１４に処理を進めても良い。
【００６８】
続いて、囲領域に基づいて付箋画像データを取得する（ステップＳ１１２；ＹｅｓステップＳ１１４）。すなわち、囲領域に含まれる図形を取得し、付箋画像データとして取得する。そして、取得された付箋画像データを受信側である表示装置２０に送信する（ステップＳ１１６）。
【００６９】
受信側である表示装置２０は、付箋画像データを受信すると（ステップＳ１５０）、付箋画像データに基づいて付箋データに変換する（ステップＳ１５２）。具体的には、付箋データに手書き文字（列）が含まれている場合には、テキスト文字（列）に変換する処理を行う。なお、そのまま手書き文字（列）として表示しても良い。
【００７０】
続いて、付箋データの表示位置を決定し（ステップＳ１５４）、付箋データを表示する（ステップＳ１５６）。
【００７１】
付箋データの表示位置の決定の仕方としては複数の方法が考えられる。まず、初期設定として付箋データを表示する位置を決めておき、当該初期設定の位置に付箋データを表示する方法が考えられる。他にも、付箋画像データを送信した端末装置１０によって、付箋データの表示位置を決めても良い。例えば、画面を４等分し、端末毎に表示するエリアを決めてもよい。
【００７２】
［１．４  動作例］
続いて、本実施形態における動作例について図６を用いて説明する。図６（ａ）は、端末装置１０の表示領域に、２つの図形が表示されている。手書き文字列Ｂ１００「アイデア」と、手書き文字列Ｂ１１０「締切り」が表示されている。
【００７３】
このとき、利用者によって、矩形Ｒ１００が入力される。この入力が囲領域であることから、付箋選択入力であると認識される。矩形Ｒ１００に含まれている手書き文字列Ｂ１００が、付箋画像データとして取得されることとなる。
【００７４】
この付箋画像データが、端末装置１０から表示装置２０に送信される。表示装置２０は、付箋画像データに基づいて付箋データＨ１００を表示する。付箋データＨ１００においては、手書き文字列「アイデア」は、テキスト文字列「アイデア」に変換されて表示されている。
【００７５】
この付箋データＨ１００は、利用者により自由に移動することが可能であり、大きさを変えることも可能である。また、本実施形態のように、テキスト文字に変換されることで、文字（列）の編集を行うことも可能である。
【００７６】
なお、上述した実施形態ではオブジェクトとして、図形である手書き文字列を選択する場合について説明したが、オブジェクトとして表示されているテキスト文字列を選択してもよい。
【００７７】
この場合、ステップＳ１１６で付箋画像データの代わりにテキスト文字列を送信する。受信した表示装置２０は、ステップＳ１５０でテキスト文字列を受信し、付箋データに変換して表示すればよい。
【００７８】
このように、本実施形態によれば、利用者は必要なオブジェクトとして、図形やテキスト文字列を囲む操作を行うことで、一の画像表示装置で入力された図形やテキストで示された文字列を、他の画像表示装置に送信し、表示することができる。また、表示装置は、受信されたオブジェクトに基づいて付箋データとして表示することができる。
【００７９】
これにより、例えば利用者が自分で使っている端末装置（例えば、タブレット等の画像表示装置）を利用して入力操作を行うことができる。また、複数の利用者がいた場合であっても、各端末装置から図形を入力し、送信することが可能となる。また、表示装置は、端末装置で入力されたものを表示するといったことが可能となる。
【００８０】
［２．第２実施形態］
第２実施形態について説明する。第２実施形態は、付箋選択入力において、選択入力の方法に基づいて付箋データの属性についても認識し、表示装置で属性に対応して付箋データの表示態様等を変更する処理である。すなわち、選択入力された領域（囲領域）の属性に応じて、付箋データの属性が認識される。
【００８１】
なお、本実施形態におけるシステムの構成は上述した第１実施形態と同じであり、その構成等の説明は省略する。本実施形態では、第１実施形態と異なる箇所を中心に説明する。
【００８２】
［２．１  データ構成］
図７は、第１実施形態における記憶部１５０を、記憶部１５０ｂに置き換えるものである。図７に示すように、記憶部１５０ｂには、図形データ１５２と、付箋画像データ１５４と、付箋データ属性判定テーブル１５６とが記憶されている。
【００８３】
付箋データ属性判定テーブル１５６は、付箋選択入力として入力される囲領域の属性、本実施形態では囲領域ストローク（形状）に応じて、付箋データの属性を記憶しているテーブルである。例えば、図８（ａ）に示すように、領域の属性であるストローク形状（例えば、「円形」）に対応づけて、付箋データの属性（例えば、色として「赤」）が記憶されている。
【００８４】
なお、本実施形態では、付箋データの属性として色を例に説明するが、例えば大きさ（フォントサイズ）や、フォントの種類、付箋データの境界色といった他の表示パターンを記憶しても良い。
【００８５】
［２．２  処理の流れ］
本実施形態の処理の流れを図９のシーケンス図に基づいて説明する。なお、第１実施形態と同一の処理には、同一の符号を付してその説明を省略する。
【００８６】
検出されたストロークが囲領域であり、付箋選択入力と判定された場合には（ステップＳ１０２〜ステップＳ１１２；Ｙｅｓ）、囲ったストロークの形状を判定し（ステップＳ２０２）、当該判定されたストロークの形状に基づいて付箋データの属性（付箋データ属性）を判定する（ステップＳ２０４）。具体的には、付箋データ属性判定テーブル１５６に基づいて付箋データ属性を判定する。
【００８７】
続いて、囲領域に基づいて、付箋画像データを取得する（ステップＳ１１４）。その後、取得した付箋画像データと、付箋データ属性とを表示装置２０に送信する（ステップＳ２０６）。なお、他の情報（例えば、付箋の大きさ等の種々の情報）と、付箋データ属性とを含めた付箋付加情報として送信しても良い。
【００８８】
また、本実施形態における処理の流れは一例であり、データに矛盾が生じない範囲で前後しても良い。例えば、最初に囲領域に基づいて付箋画像データを取得した後に、付箋データ属性を判定しても良い（ステップＳ１１４→ステップＳ２０４）。
【００８９】
表示装置２０は、付箋画像データと付箋データ属性とを受信する（ステップＳ２５２）。この後、付箋データに変換し、付箋データ表示位置を決定する（ステップＳ１５２Ｓ１５４）。
【００９０】
そして、受信された付箋データ属性に基づいて、付箋データの属性を決定する（ステップＳ２５４）。そして、決定された付箋データの属性に基づいて、付箋データを表示する（ステップＳ２５６）。
【００９１】
このように、表示装置２０では、付箋データ属性に基づいて、付箋データの表示態様を変更して表示することができる。
【００９２】
［２．３  動作例］
第２実施形態の動作例について、図１０に基づいて説明する。図１０（ａ）は、第１実施形態において、端末装置１０から送信された付箋画像データに基づく付箋データＨ１００が、表示装置２０に表示されている図である。
【００９３】
この状態で、手書き文字列Ｂ１１０である「締切り」が、ストロークで示された囲領域Ｒ１１０で選択されている。この場合、手書き文字列Ｂ１１０を含む付箋画像データが取得され、表示装置２０に送信される。また、このとき、併せて付箋データの属性が送信される。
【００９４】
表示装置２０は、受信された付箋画像データから変換された付箋データＨ１１０が表示されているのが図１０（ｂ）である。第１実施形態の付箋データＨ１００のように、囲領域のストロークの形状が矩形である場合と、本実施形態の付箋データＨ１１０のように、囲領域のストロークの形状が円形である場合とで付箋データの属性が変化している。すなわち、付箋データＨ１００と、付箋データＨ１１０とでは異なる色で表示されている。
【００９５】
このように、本実施形態によれば、利用者が図形を選択するときに選択する形状を切り替えることで、付箋データの属性を容易に切り替えることが可能となる。
【００９６】
また、表示装置２０において、付箋データとして複数の表示態様を切り替えて表示することができる。したがって、例えば、テーマ毎に色を振り分けて表示するといった使い方をすることができ、利用者にとってより解りやすくなる。
【００９７】
また、付箋データの属性を決定する囲領域のストロークの形状と、付箋データの属性とは、利用者が任意に設定することとしても良い。これにより、好きな形状に、好きな属性（例えば、色）を割り当てることが可能となる。
【００９８】
また、付箋データ属性判定テーブル１５６は、表示装置２０に記憶し、付箋データの属性判定を表示装置２０で行っても良い。すなわち、端末装置１０から、付箋画像データと、囲領域のストローク情報が表示装置２０に送信される。そして、表示装置２０において、当該送信された情報から、付箋データの属性を判定することとしても良い。
【００９９】
［３．第３実施形態］
第３実施形態について説明する。第３実施形態は、付箋データの属性として、色等の表示属性について設定したが、内容的な属性を設定しても良い。
【０１００】
第３実施形態は、第２実施形態において、図８（ａ）の付箋データ属性判定テーブル１５６を、図８（ｂ）の付箋データ属性判定テーブルに置き換えたものである。
【０１０１】
すなわち、ストローク形状に対応づけて、属性（例えば、重要度として「高」）が記憶されることとする。すなわち、付箋データの属性として、重要度といった内容的な属性を付加することが可能である。これらの属性は、例えば「消去可能」「消去不可」といった属性や、所有者を示す属性（例えば、円形の場合はＡさん、矩形の場合はＢさん）といったものであってもよい。
【０１０２】
当該決定された付箋データの属性に応じて、付箋データが表示される（図９のステップＳ２５４Ｓ２５６）。これにより、付箋データは、付箋データ属性に応じた挙動を行うことになる。例えば、重要度が「高」の付箋データは「消去不可」と設定されている場合、当該付箋データについて利用者は消去することができないといったことになる。
【０１０３】
また、表示装置２０は、これらの属性に応じて表示態様を変更しても良い。例えば、重要度が高いものは「赤」で表示したり、「大きく」表示したりしても良い。
【０１０４】
このように、本実施形態によれば、単なる表示以外についても、描画パターンに基づいて、付された付箋データの属性に応じて、付箋データの表示態様を変更することが可能となる。
【０１０５】
［４．第４実施形態］
第４実施形態について説明する。第４実施形態は付箋データに属性を付す場合に、ストロークの形状ではない、囲領域の属性に基づいて設定する。
【０１０６】
第４実施形態は、第３実施形態において、図８（ｂ）の付箋データ属性判定テーブル１５６を、図８（ｃ）の付箋データ属性判定テーブルに置き換えたものである。すなわち、囲領域の属性として、例えば「右回り」「左回り」といった属性に応じて、付箋データの属性（本実施形態では所有者「Ａ」）とが対応づけられている。
【０１０７】
例えば、囲領域の属性として、他にも例えば「２本指で囲領域のストロークが検出された」や、「他の操作と共に囲領域が入力された」といったことを設定することも可能である。
【０１０８】
また、付箋データの属性としては、上述したように、大きさや、色、重要度といった他の属性が設定されても良い。
【０１０９】
例えば、第４実施形態の動作例を図１１に示す。端末装置１０には、手書き文字列Ｂ２００と、手書き文字列Ｂ２１０とが表示されている。そして、手書き文字列Ｂ２００は、右回りに囲領域Ｒ２００が選択され、手書き文字列Ｂ２１０は左回りに囲領域Ｒ２１０が選択されている。
【０１１０】
ここで、囲領域により選択され、変換された付箋データが表示装置２０に表示されている。付箋データＨ２００と、付箋データＨ２１０とは属性が異なっているため、表示も異なったものとなっている。
【０１１１】
このように、本実施形態によれば、付箋選択入力が行われるときの、囲領域の選択の仕方に応じて付された付箋データの属性に応じて、表示装置は付箋データの表示態様を変えて表示することが可能となる。
【０１１２】
［５．第５実施形態］
第５実施形態は、上述した実施形態において、付箋データ属性の判定を表示装置２０において行う実施形態である。例えば、第２実施形態に適用した場合、図９の処理フローを図１２で置き換えた実施形態である。図１２に基づいて、本実施形態の処理の流れについて説明するが、同一の処理には同一の符号を付して説明を省略する。
【０１１３】
すなわち、本実施形態では、付箋画像データを取得するときに利用されたストロークデータ自体が、表示装置２０に送信される（ステップＳ１７２）。表示装置２０は、付箋画像データと、付箋データ属性とに併せてストロークデータを受信する（ステップＳ２７２）。
【０１１４】
そして、ストークデータから囲ったストロークの形状を判定し（ステップＳ２７４）、判定されたストローク形状に基づいて付箋データの属性が決定される（ステップＳ２７６）。
【０１１５】
なお、ここで属性を決定するためには、ストロークデータや、それ以外の入力情報等により属性が決定される。例えば、領域の形状の情報、囲領域を描画するときに右回り或いは左回りでストロークを描画した情報、ストローク描画時の指又はペンの本数の情報、他の操作とともに囲領域が入力されたか否かの情報等が端末装置１０から表示装置２０に送信される。表示装置２０は、それらの情報に基づいて付箋データの属性を決定する。また、これらの属性を決定するための情報は１つから決定されてもよいし、複数の情報を組み合わせて決定してもよい。
【０１１６】
このように、本実施形態によれば、付箋データの属性の判定についても、端末装置１０で行わず、表示装置２０で行うことが可能となる。また、他の実施形態についても、同じように表示装置２０で付箋データの属性について判定することとしてもよいことは勿論である。
【０１１７】
［６．第６実施形態］
第６実施形態は、付箋データの認識を全て表示装置２０側で行う場合の実施形態である。本実施形態については、第１実施形態の図５で示した処理フローを、図１３で置き換えた実施形態である。図１３に基づいて、本実施形態の処理の流れについて説明する。
【０１１８】
端末装置１０において、図形を含む画像が表示されている。この中から、付箋データとした図形を、囲領域で選択して、表示装置２０に画像データを送信する（ステップＳ３０２）。
【０１１９】
表示装置２０は、画像データを受信すると（ステップＳ３１０）、受信された画像データから、図形認識処理を実行し（ステップＳ３１２）、画像から図形を取得する。
【０１２０】
ここで、画像から図形を取得する方法としては種々の方法が考えられるが、画像データと共にストローク情報が送信されている場合にはストローク情報を参照して図形を認識する。また、画像がベクトルデータであった場合は、ベクトルデータを参照して図形を認識する。また、ラスタデータであった場合には、図形の形状から図形を認識する。
【０１２１】
ここで、認識された図形の中に所定の図形データが検出された場合、検出された図形の形状を判定する（ステップＳ３１４；ＹｅｓステップＳ３１６）。例えば、囲領域の形状を検出したり、囲領域の中に他の図形が含まれている場合の図形の形状を検出したりする。そして、検出された形状は、付箋選択入力であると判定し、検出された領域に含まれる図形を、付箋画像データとして取得する（ステップＳ３１８）。
【０１２２】
そして、付箋画像データから付箋データに変換し、付箋データの表示位置を決定し（ステップＳ３２０）、付箋データの属性を決定する（ステップＳ３２２）。そして、変換された付箋データ、付箋データの表示位置、属性に基づいて付箋データを表示する（ステップＳ３２４）。
【０１２３】
そして、画像に含まれる付箋データを全て表示していない場合には処理を繰り返し実行し（ステップＳ３２６；ＮｏステップＳ３１６）、表示された場合には本処理を終了する（ステップＳ３２６；Ｙｅｓ）。
【０１２４】
このように本実施形態によれば、端末装置１０から一括して画像を送信することにより、必要な付箋データを表示装置２０で表示することができる。その都度付箋画像データを送信する必要が無くなり、端末装置１０、表示装置２０間の通信のトラフィックを減らすことが可能となる。また、端末装置１０より表示装置２０の方が処理能力が高い場合には、一括して処理できるという効果が期待できる。
【０１２５】
［７．第７実施形態］
第７実施形態について説明する。第７実施形態は、端末装置１０から付箋画像データを送信するときに、端末装置１０が保有している情報が送信される実施形態である。表示装置２０は、当該端末装置１０の情報に基づいて、表示態様を変化して表示する。
【０１２６】
例えば、図１４に本実施形態のシステム全体を示す。図１４では、端末装置１０として、端末装置１０Ａと、端末装置１０Ｂとが表示装置２０に接続されている。これら端末装置１０には、種々の情報が記憶されている。例えば、端末装置１０が保有する情報としては、ＩＰアドレスや、端末装置固有の識別情報といった設定情報や、ログイン名（ユーザ名）や、手書き入力したユーザ名等の利用者情報といった種々の情報が記憶されている。環境情報は、これらの情報が１つであってもよいし、複数組み合わせてもよい。なお、設定情報及び利用者情報を併せて端末装置１０の環境情報として以下説明する。
【０１２７】
これらの、端末装置１０に記憶されている環境情報を、第１実施形態のステップＳ１１６で表示装置２０に送信する。
【０１２８】
ここで、環境情報は、予め記憶されている情報であっても良いし、利用者が設定・記憶する情報であっても良い。また、端末固有情報（端末の製造識別情報、ＭＡＣアドレス等）のように、工場出荷時に設定されている情報であってもよい。
【０１２９】
また、ログイン情報の他にも、手書き入力図形に紐付けられた利用者情報（ユーザ名）であっても良い。この利用者情報は、端末のログイン情報であったり、入力装置（例えばタッチペン等）に紐付けられている情報であっても良い。
【０１３０】
これらの環境情報が表示装置２０に送信されることにより、ステップＳ１５２において、環境情報といった端末装置１０が保有している情報に基づいて、付箋の色を変えたり、付箋の大きさ、透過率を変えるといった属性を変えることが可能となる。これにより、付箋データの表示態様が変更して表示されることとなる。
【０１３１】
また、表示する領域（位置）を表示装置２０は変更してもよい。例えば、表示装置１０Ａから受信されたオブジェクトとして図形、属性及び環境情報に基づいて付箋データＨ５００を左上に表示する。また、表示装置１０Ｂから受信されたオブジェクトとして、図形、属性及び環境情報に基づいて、付箋データＨ５１０を左下に表示する。
【０１３２】
また、表示する向きを変えてもよい。これは、表示装置２０が例えばテーブル型ディスプレイの場合には、端末装置１０の利用者の方向に向いて（例えば、付箋データの下辺が端末装置の設けられている側になるように向いて）表示されてもよい。
【０１３３】
このように、本実施形態においては、複数の端末装置１０が表示装置２０に接続されている場合には特に有効な実施形態である。とくに、近年は端末装置１０として、スマートフォンや、タブレットといった、個人が所有している端末装置１０が利用されることが考えられる。このような場合であっても、表示装置で適切な付箋データとして、表示位置や、表示向きを含む表示態様をそれぞれ変えて表示するといったことが可能となる。
【０１３４】
［８．第８実施形態］
第８実施形態について、説明する。第８実施形態は、第７実施形態において、付箋画像データとともに送信された属性情報や、環境情報に基づいて、表示装置２０で表示態様を変更する実施形態である。
【０１３５】
具体的には、表示装置２０は、属性に基づいて表示したりすることを選択できたり、環境情報を表示する（例えば、利用者名を付箋データと併せて表示したりする）ことを行う。例えば、付箋データと併せてユーザ名を表示したり、送信された端末のＩＰアドレスや、マシン名等を表示したりする。
【０１３６】
これらの、属性の有効／無効の切替えや、環境情報の表示／非表示の切り替えは、表示装置２０で行うことが可能である。
【０１３７】
本実施形態における動作例を、図１５に示す。図１５（ａ）は、環境情報を「ＯＮ」としている場合の表示装置２０を示す図である。例えば、領域Ｒ７００により、利用者表示が「ＯＮ」に設定されている。
【０１３８】
この場合、付箋データＨ７００の近傍に利用者名「Ａ」が表示されている。また、付箋データ７１０の近傍には利用者名「Ｂ」が表示されている。
【０１３９】
このとき、領域Ｒ７００の選択を操作することにより、利用者表示を「ＯＦＦ」にした場合が図１５（ｂ）である。図１５（ｂ）では、付箋データＨ７００、付箋データＨ７１０の近傍に利用者名は表示されていない。
【０１４０】
このように、本実施形態によれば、環境情報の表示／非表示を、表示装置２０において行うことが可能となる。なお、環境情報の表示／非表示の切替えは、端末装置１０が行ってもよい。また、例えば、全体の設定としての表示／非表示を切り替えても良いし、付箋データ毎に切り替えても良い。また、囲領域の形によって、表示／非表示を切り替えても良い。
【０１４１】
また、上述した実施形態では、付箋データに環境情報を表示するか否かについて説明したいが、付箋データ自体の表示を表示／非表示を切り替えてもよい。すなわち、特定の利用者だけの付箋データを表示させたり、非表示とさせたりすると行ったことを行ってもよい。
【０１４２】
［９．第９実施形態］
第９実施形態について説明する。第９実施形態では、環境情報や属性を利用して、付箋データの表示／非表示を切り替える実施形態である。
【０１４３】
例えば、付箋データ毎に属性や、環境情報がそれぞれ記憶されている。そこで、利用者により、表示したい付箋データを一括で選択して表示したり、非表示とするといったことが可能である。
【０１４４】
本実施形態における動作例を図１６に示す。図１６では、囲領域Ｒ８００において、表示される付箋データが選択されている。具体的には、利用者Ａの付箋データを表示し、利用者Ｂの付箋データを非表示と選択されている。
【０１４５】
この場合、例えば、図１６（ａ）と比較すると、利用者Ａが環境情報として記憶されている付箋データＨ８００は表示されているが、利用者Ｂが環境情報として記憶されている付箋データは表示されていない。
【０１４６】
なお、上述した実施形態では、環境情報を例に説明したが、例えば、色や形といった付箋データの属性を指定して表示／非表示を切り替えても良い。また、表示／非表示の切替えは、端末装置１０から切り替えることとしても良い。
【０１４７】
更に、環境情報や属性のうち、複数を組み合わせても良い。例えば、Ａさんの重要度が高い付箋データや、Ｂさんの赤の付箋データといった組み合わせで表示／非表示を切り替えても良い。
【０１４８】
［１０．第１０実施形態］
第１０実施形態について説明する。第１０実施形態は、上述した実施形態に加えて、付箋データの送信するタイミングについて異なる場合について説明するものである。
【０１４９】
すなわち、上述した実施形態（例えば、第１実施形態）では、オブジェクトを囲む操作をトリガーとして付箋画像データを送信することとしたが、記入後一定時間無操作状態が継続したことをもってオブジェクト（例えば、図形）が特定され、特定された図形が付箋データとして送信される。
【０１５０】
この場合、前回に一定時間無操作状態が継続したタイミングからのデータが収まる領域を矩形領域として切り出し、付箋データとして送信する。本実施形態の処理について、図１７を用いて説明する。なお、図１７は、図５の処理フローを置き換えたものであり、同一の処理には同一の符号を付し、説明を省略する。
【０１５１】
ストローク情報が記憶されたあと、一定時間が経過したか否かを判定する（ステップＳ７０２）。ここで、一定時間が経過した場合には、付箋画像データとなる矩形領域の座標を取得する（ステップＳ７０４）。そして、矩形領域の位置が所定の領域内である場合には（ステップＳ７０６；Ｙｅｓ）、矩形領域に基づいて付箋画像データを取得する（ステップＳ７０８）。
【０１５２】
例えば、図６の例によれば「アイデア」と手書きを行った後に一定時間無操作状態を継続させることによって、「アイデア」と記載された部分が収まる形に矩形領域を切り出す。この矩形領域の切り出しにおいては、当該手書きが収まる矩形領域で切り出してもよいし、手書き文字の傾きを考慮して、切り出す矩形領域の角度を調整するなどしても構わない。矩形領域の調整を行うことで矩形Ｒ１００と同等のデータが生成されることになる。
【０１５３】
また、ステップＳ７０２において付箋判定ＯＮとは、通常の手書き入力と付箋データの入力の区別が必要となるため、通常の手書き入力と、付箋データの入力で、入力モードを変えるなどの操作を行ってもよい。付箋データの入力モードが「ＯＮ」になっていたり、付箋データ入力用のペンモードが選択された後に手書き入力されたりした場合に、付箋判定がＯＮとなる。そして、付箋判定がＯＮの場合には、付箋画像データが取得される。
【０１５４】
具体的には、通常の手書き入力を行うモード（手書き入力モード）と、付箋データに変換可能な手書き入力を行うモード（付箋データ入力モード）とが選択可能である。ここで、付箋データ入力モードが選択され、手書き入力が行われると、本実施形態の処理が実行される。すなわち、手書き入力後、所定時間が経過後に付箋データ（付箋画像データ）に変換される。ここで、通常の入力モードである手書き入力モードで入力された手書き入力は、所定時間が経過しても付箋データ（付箋画像データ）に変換されない。このように、特定の入力モードとして、例えば付箋データ入力モードが選択された場合には、付箋データに変換される。
【０１５５】
そして、例えば第１実施形態で説明した様に、入力された図形を囲む（ストロークにより囲領域が形成される）と、付箋データ（付箋画像データ）に変換される。なお、本実施形態においても、入力された図形を囲む動作により、所定時間経過前に付箋データに変換するという動作としてもよい。
【０１５６】
なお、付箋判定ＯＮは、付箋データの入力用モードの切り替えであっても良いし、モードＯＮスイッチ等であってもよい。また、所定の操作（例えば、ペンのボタンを押しながら操作する、片手でタッチしつつ手書き入力を行う、２本指で操作する）の場合には、付箋判定がＯＮと判定されてもよい。
【０１５７】
また、システムによっては、所定領域に入力された場合は全て付箋画像データと判定しても良いし、手書き入力されたものは全て付箋画像データに変換しても良い。
【０１５８】
また、上述した実施形態では「矩形領域」として説明しているが、囲領域（閉じられた領域）であれば良く、円形、楕円形、三角形、台形といった種々の形でもよい。また、利用者が領域の形を設定してもよい。
【０１５９】
［１１．変形例］
本発明は上述した各実施の形態に限定されるものではなく、種々の変更が可能である。すなわち、本発明の要旨を逸脱しない範囲内において適宜変更した技術的手段を組み合わせて得られる実施の形態についても本発明の技術的範囲に含まれる。
【０１６０】
また、当該付箋画像データを、メールで表示装置２０に送信することとしてもよいし、クラウドサービスに送信（アップロード）したものを、表示装置２０で表示することとしても良い。また、選択された付箋データを、記録媒体に保存し、保存されたものを表示装置２０で表示することとしても良い。
【０１６１】
また、実施形態でも説明したが、画像表示装置として端末装置、表示装置として説明したが、同一の装置で構成することも可能である。また、端末装置と、表示装置とをクラウドを介して接続しても良いことは勿論である。
【０１６２】
クラウドを利用する場合は、端末装置から付箋画像データをクラウドサーバを介して表示装置に送信することとしても良い。また、端末装置、表示装置の一部の処理をクラウドサーバで処理を実行することとしても良い。
【０１６３】
また、各機能はプログラムで構成されていても良いし、ハードウェアで構成されても良い。そして、プログラムで実現されている場合は、記録媒体に記録されており、当該記録媒体からプログラムを読み出して実行しても良いし、ネットワークに保存され、ダウンロードして実行しても良い。
【０１６４】
また、上述した実施形態では、タッチ検出部として操作をタッチパネルとし、タッチ操作（タップ操作）を例に説明したが、例えばマウス等の外部入力装置で、クリック操作等により操作が行われてもよい。
【０１６５】
また、上述した実施形態では、表示装置は、表示部と、操作入力部とを備えている例を説明したが、本実施形態に開示した発明を実施するためには、他の方式であってもよい事は勿論である。例えば、表示部２１０としてプロジェクタを利用し、操作入力部２２０として人感センサを利用してもよい。そして、操作入力部２２０、表示部２１０に制御用のコンピュータを接続することにより、表示システムとして実現されてもよい。
【０１６６】
また、上述した実施形態は、説明の都合上、それぞれ別に説明している部分があるが、技術的に可能な範囲で組み合わせて実行してもよいことは勿論である。
【０１６７】
このように、本明細書に記載した各実施形態は、矛盾の無い範囲で組み合わせて実行することができる。
【０１６８】
また、上述した実施形態において、領域を選択することで領域を特定することとして説明している。ここで、領域を特定する方法としては、選択以外にも入力や、判定といった種々の方法が含まれるものとする。
【０１６９】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤ、ＳＳＤの記憶装置に格納され、必要に応じてＣＰＵによって読み出し、修正・書き込みが行なわれる。
【０１７０】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０１７１】
また、各機能を備えたアプリケーションを、スマートフォンやタブレット、画像形成装置といった各種装置にインストールし、実行することで実現してもよい。
【符号の説明】
【０１７２】
１  画像表示システム
１０  端末装置
１００  制御部
１１０  表示部
１２０  タッチ検出部
１３０  画像処理部
１４０  通信部
１５０  記憶部
１５２  図形データ
１５４  付箋画像データ
２０  表示装置
２００  制御部
２１０  表示部
２２０  操作入力部
２４０  通信部
２５０  記憶部
２５２  図形データ
２５４  付箋画像データ
２５６  付箋データ
【図１】
2019079314.tif 000003
【図２】
2019079314.tif 000004
【図３】
2019079314.tif 000005
【図４】
2019079314.tif 000006
【図５】
2019079314.tif 000007
【図６】
2019079314.tif 000008
【図７】
2019079314.tif 000009
【図８】
2019079314.tif 000010
【図９】
2019079314.tif 000011
【図１０】
2019079314.tif 000012
【図１１】
2019079314.tif 000013
【図１２】
2019079314.tif 000014
【図１３】
2019079314.tif 000015
【図１４】
2019079314.tif 000016
【図１５】
2019079314.tif 000017
【図１６】
2019079314.tif 000018
【図１７】
2019079314.tif 000019